(57)【特許請求の範囲】
【請求項１】
フェーダを備える電子機器であって、
複数のチャンネルに対応して設けられ、音声信号のレベルを調整する複数のフェーダと、
前記複数のフェーダ毎に設けられた表示手段と、
前記複数のフェーダのうち、任意の複数のフェーダをグループとして設定するグループ設定手段と、
グループとして設定された複数のフェーダのいずれかをマスタフェーダ、同一グループ内の残りのフェーダをスレーブフェーダとし、ユーザにより前記マスタフェーダが操作された場合に同一グループ内の全てのフェーダに対応する前記表示手段を点灯させ、ユーザにより前記スレーブフェーダが操作された場合に同一グループ内の前記マスタフェーダに対応する前記表示手段のみを点灯あるいは点滅させる表示制御手段と、
を有することを特徴とするフェーダを備える電子機器。
【請求項２】
請求項１記載のフェーダを備える電子機器において、さらに、
ユーザにより前記マスタフェーダが操作された場合に同一グループ内の全てのチャンネルの音声信号のレベルを連動して調整し、ユーザにより前記スレーブフェーダが操作された場合にその操作を無効として同一グループ内の全てのチャンネルの音声信号のレベルを調整しない制御手段と、
を有することを特徴とするフェーダを備える電子機器。
【請求項３】
請求項１，２のいずれかに記載のフェーダを備える電子機器において、
前記表示制御手段は、グループとして設定された複数のフェーダのうち、所定位置にあるフェーダをマスタフェーダに自動設定し、同一グループ内の残りのフェーダをスレーブフェーダに自動設定する
ことを特徴とするフェーダを備える電子機器。
【発明の詳細な説明】
【技術分野】
【０００１】
本発明はマルチトラックレコーダやミキサー等の電子機器に関し、特にフェーダのグループ化技術に関する。
【背景技術】
【０００２】
マルチトラックレコーダでは、複数のチャンネルの音声信号を入力し、各チャンネルの音量レベルをフェーダで調整しつつ、ミキシング等の処理を行いレコーダに記録する。各チャンネルの音量レベルを調整してバランスを取った後に、これらのチャンネルのトータル音量を増減するには、これらのチャンネルの全てのフェーダを同率で操作する必要があるため困難となる。
【０００３】
そこで、従来から、複数のフェーダをグループ化（グルーピング）するモードを備え、グループ内のいずれかのフェーダが操作された場合に、その変化量に応じてグループ内の他のフェーダを追従させて移動させる技術が提案されている。具体的には、グループ内のいずれかのフェーダを操作した場合、モータ等によりグループ内の他のフェーダをこの動きに同期させて自動で移動させる（ムービングフェーダ）。
【０００４】
フェーダのグループ化は操作性の観点からは有効であるが、これと同時に、どのフェーダがグループ化されているかをユーザが容易に視認できる必要がある。ムービングフェーダの場合には、グループ化されているフェーダが追従して移動するため、この動きからどのフェーダがグループ化されているかを確認することは可能であるが、移動機構に異常が生じると確認することができず、またフェーダの移動を伴わないようなグループ化ではどのフェーダがグループ化されているのかを移動からは確認できない。
【０００５】
下記の特許文献１には、あるグループに属するチャンネルに割り当てられた操作子が操作された場合に、そのチャンネルと同じグループに属するチャンネルに割り当てられた操作子に対応する表示手段を、そのグループを示すパターンにて点滅させる表示制御手段を設けることが開示されている。
【先行技術文献】
【特許文献】
【０００６】
【特許文献１】特許第４１２３１７６号
【発明の概要】
【発明が解決しようとする課題】
【０００７】
あるグループに属するいずれかのフェーダが操作された場合に、そのグループに属するフェーダの表示手段を点滅させることは、どのフェーダがグループ化されているかを視認する上で有効であるものの、その一方で、グループ内のいずれかのフェーダを操作することで同一グループ内の他のフェーダも無条件でこれに追従して移動するため、仮に当該グループのいずれかのフェーダの操作が誤操作であった場合でも、同一グループ内の他の全てのフェーダもこの誤操作に追従してしまう問題がある。
【０００８】
このような場合、グループ化された複数のフェーダの内、いずれかのフェーダをマスタフェーダとし、同一グループ内の他のフェーダをスレーブフェーダとすることも考えられるが、このような構成を採用する際には、どのフェーダがマスタであり、どのフェーダがスレーブであるかをユーザが容易に確認できることが望ましい。
【０００９】
本発明の目的は、複数のフェーダのうち、どのフェーダが同一グループに属するのかをユーザが容易に確認できるとともに、当該グループ内においてどのフェーダがマスタであり、どのフェーダがスレーブであるかも容易に確認できるフェーダを備える電子機器を提供することにある。
【課題を解決するための手段】
【００１０】
本発明は、フェーダを備える電子機器であって、複数のチャンネルに対応して設けられ、音声信号のレベルを調整する複数のフェーダと、前記複数のフェーダ毎に設けられた表示手段と、前記複数のフェーダのうち、任意の複数のフェーダをグループとして設定するグループ設定手段と、グループとして設定された複数のフェーダのいずれかをマスタフェーダ、同一グループ内の残りのフェーダをスレーブフェーダとし、ユーザにより前記マスタフェーダが操作された場合に同一グループ内の全てのフェーダに対応する前記表示手段を点灯させ、ユーザにより前記スレーブフェーダが操作された場合に同一グループ内の前記マスタフェーダに対応する前記表示手段のみを点灯あるいは点滅させる表示制御手段を備えることを特徴とする。
【００１１】
本発明の１つの実施形態では、さらに、ユーザにより前記マスタフェーダが操作された場合に同一グループ内の全てのチャンネルの音声信号のレベルを連動して調整し、ユーザにより前記スレーブフェーダが操作された場合にその操作を無効として同一グループ内の全てのチャンネルの音声信号のレベルを調整しない制御手段とを備えることを特徴とする。
また、本発明の他の実施形態では、前記表示制御手段は、グループとして設定された複数のフェーダのうち、所定位置にあるフェーダをマスタフェーダに自動設定し、同一グループ内の残りのフェーダをスレーブフェーダに自動設定することを特徴とする。
【発明の効果】
【００１２】
本発明によれば、ユーザは表示手段の点灯状況を視認することで、複数のフェーダのうち、どのフェーダが同一グループに属するのかを容易に確認できる。また、当該グループ内においてどのフェーダがマスタであり、どのフェーダがスレーブであるかも容易に確認できる。従って、ユーザは、マスタフェーダを操作することで、複数のチャンネルの音声信号のバランスを維持しつつ全体のレベルを容易に増減調整できる。
【図面の簡単な説明】
【００１３】
【図１】実施形態におけるマルチトラックレコーダの構成図である。
【図２】マルチトラックレコーダの平面図である。
【図３】マルチトラックレコーダの背面図である。
【図４】マルチトラックレコーダのフェーダのグループ化説明図である。
【図５】マスタフェーダが操作された場合の説明図である。
【図６】スレーブフェーダが操作された場合の説明図である。
【発明を実施するための形態】
【００１４】
以下、図面に基づき本発明の実施形態について、フェーダを備える電子機器としてマルチトラックレコーダを例にとり説明する。
【００１５】
図１に、本実施形態におけるマルチトラックレコーダの構成ブロック図を示す。音声信号入力回路１０は、複数の入力ポートを備え、複数の音源（ソース）からの音声信号を入力する。複数の音声信号を例示すると、ギター、ボーカル、ドラム等である。本実施形態では、音声信号入力回路１０は、Ａ〜Ｈの８個の入力ポートを備え、それぞれから音声信号を入力する。以下では、Ａ〜Ｈの入力ポートをそれぞれＡチャンネル〜Ｈチャンネルと称する。音声信号入力回路１０から入力された音声信号は、バスを介してＤＳＰ（デジタルシグナルプロセッサ）１４に供給される。
【００１６】
ＤＳＰ１４は、ＣＰＵ３２の制御の下で、音声信号入力回路１０から供給された複数チャンネルの音声信号に対して、各種のデジタル処理、例えばエフェクト処理やイコライジング処理、ミキシング処理を施し、バスを介してレコーダ３４に記録する。レコーダ３４の記録媒体は、ＣＤ−Ｒ／ＲＷ、ＤＶＤ−Ｒ／ＲＷ等の光ディスクやハードディスク、フラッシュメモリ媒体等である。ＤＳＰ１４の処理には、後述するフェーダの操作位置に応じて各音声信号の音量レベルを調整する処理も含まれる。
【００１７】
フェーダ１６は、マルチトラックレコーダの操作面に複数トラックの各トラックに対応して設けられる。なお、フェーダは、複数トラックの各トラックと１：１で設けられるが、複数トラックの２以上のトラックと多：１で設けられてもよい。フェーダ１６の操作位置は、検出回路１８で検出される。検出回路１８は、バスを介してフェーダ１６の操作位置検出信号をＣＰＵ３２に供給する。
【００１８】
操作子２０は、マルチトラックレコーダの操作面に設けられる。操作子２０は、各種のキースイッチや選択ボタン、メニューボタン、決定ボタン等から構成される。ユーザは、操作子２０を操作することで、複数チャンネルの各音声信号を、複数トラックの少なくとも１つのトラックに割り当てる。操作子２０の操作状態は検出回路２２で検出される。検出回路２２は、バスを介して操作子２０の操作状態検出信号をＣＰＵ３２に供給する。
【００１９】
ＣＰＵ３２は、マルチトラックレコーダの全体を統括制御する。ＣＰＵ３２は、フラッシュＲＯＭ２８に記憶されたプログラムに従い、ワーキングメモリとしてのＲＡＭ３０を用いて各種処理を実行する。具体的には、検出回路２２からの操作状態検出信号に基づいて、複数チャンネルの各音声信号を複数トラックの少なくともいずれかのトラックに割り当てる。例えば、トラックがトラック１〜トラック２４まで存在する場合に、チャンネルＡをトラック１に割り当て、チャンネルＢをトラック２に割り当て、チャンネルＣをトラック１０に割り当てる等である。本実施形態において、このような各チャンネルをトラックに割り当てた結果としての、各チャンネルと各トラックとの対応関係を「アサイン情報」と称する。また、ＣＰＵ３２は、各種の情報を表示回路２６に供給する。表示回路２６は、各種情報を表示部２４に表示する。ＣＰＵ３２は、検出回路１８からのフェーダ操作位置検出信号に基づいて、各トラック毎に割り当てられたチャンネルのレベルを棒グラフ形式（レベルメータ）で表示すべく、表示回路２６に指令する。表示回路２６は、ＣＰＵ３２からの情報に応じて、レベルメータ画像を表示部２４に表示する。また、ＣＰＵ３２は、表示部２４に表示されたレベルメータ画像に重畳させて、アサイン情報を表示部２４に表示すべく表示回路２６に指令する。また、ＣＰＵ３２は、ユーザの操作に応じて、複数のフェーダのうち、いずれか複数のフェーダを同一グループに属するものとして設定し、そのグループ化情報をＲＡＭ３０に記憶する。グループ化された複数のフェーダのうち、所定位置にあるフェーダはマスタフェーダ、同一グループ内の他のフェーダはスレーブフェーダとして自動的に設定される。マスタフェーダ、スレーブフェーダについてはさらに後述する。ＣＰＵ３２は、グループ化されたフェーダのうち、どのフェーダが操作されたかに応じて各フェーダに設けられた表示器の表示状態を変化させる。いずれがマスタフェーダあるいはスレーブフェーダであるかの情報も、ＲＡＭ３０に記憶される。さらに、ＣＰＵ３２は、検出信号２２からの操作状態検出信号に応じ、レコーダ３４に記録された音声信号を読み出してＤＳＰ１４に供給し、ＤＳＰ１４はバス及び音声信号出力回路１２を介して音声信号を外部に出力する。音声出力回路１２は、アナログ出力ポートやデジタル出力ポート等の各種出力ポートを有する。
【００２０】
図２に、本実施形態におけるマルチトラックレコーダの平面図を示す。また、図３に、マルチトラックレコーダの背面図を示す。
【００２１】
マルチトラックレコーダの操作面には、各種操作子２０と、フェーダ１６と、表示部２４が設けられる。また、マルチトラックレコーダの背面には、Ａ〜Ｈの入力ポート１０及び出力ポート１２が設けられる。操作子２０には、Ａ〜Ｈの各チャンネルの音声信号をトラック１〜２４のいずれかに割り当てるための選択スイッチやジョグダイヤル、十字キーの他、レコーダ３４に記録された音声信号の録音、再生、停止、早送り、巻き戻しを指示する操作スイッチ等が含まれる。ユーザは、Ａ〜Ｈの各チャンネルの音声信号をトラック１〜２４のいずれかに割り当てる場合、各トラック毎のフェーダ１６にそれぞれ設けられた選択ボタンを操作することで割り当てるべき所望のトラックを選択し、次に、Ａ〜Ｈの各チャンネル毎に設けられた選択ボタンを操作することでそのトラックに割り当てるチャンネルを選択する。あるいは、ユーザは、ジョグダイヤルや十字キーを操作して、チャンネル及びトラックを選択して割り当てることもできる。もちろん、各チャンネルを各トラックに割り当てる方法として、これに限らず任意の手段を用いることが可能であり、複数のチャンネルから所望のチャンネルを選択する機能と、複数のトラックから所望のトラックを選択する機能と、選択されたチャンネルとトラックを関連づける機能を有していれば任意の手段を採用し得る。これにより、例えば、
チャンネルＡ（ギター音声信号）−トラック１
チャンネルＢ（ドラム）−トラック２
チャンネルＣ（ソプラノボーカル）−トラック３
チャンネルＤ（テノールボーカル）−トラック４
等のアサイン情報が作成され、ＲＡＭ３０に記憶される。
【００２２】
フェーダ１６は、各トラック毎に設けられるが、本実施形態では、マルチトラックレコーダの小型化を考慮して、トラック１〜１２までは各トラック毎に設けられるものの、トラック１３〜トラック２４については、２つのトラックに共通して１つのフェーダ１６が設けられる。すなわち、トラック１３，１４で１つのフェーダ１６が設けられ、トラック１５，１６で１つのフェーダ１６が設けられる等である。ユーザが、トラック１のフェーダ１６を操作すると、そのフェーダ１６の操作位置が検出回路１８によって検出され、ＣＰＵ３２に供給される。ＣＰＵ３２は、操作位置検出信号及びＲＡＭ３０に記憶されたアサイン情報に基づいて、トラック１に割り当てられたチャンネル（上記の場合にはＡチャンネル）の音声信号のレベルを、フェーダ１６の操作位置に応じて増減調整するようにＤＳＰ１４に指令する。ＤＳＰ１４は、ＣＰＵ３２からの指令に応じて、対応するチャンネルの音声信号のレベルを増減調整する。
【００２３】
複数のフェーダ１６は、必要に応じて適宜、ユーザからの操作に応じてグループ化される。グループ化する際には、複数のフェーダ１６の各フェーダ毎に設けられた選択スイッチ兼表示器２０ａ、及びグループ化ＯＮ／ＯＦＦスイッチ２０ｂが用いられる。ユーザは、複数のフェーダ１６のうちのいずれか複数のフェーダ１６をグループ化する場合、まず、グループ化ＯＮ／ＯＦＦスイッチ２０ｂを操作してグループ化の機能をＯＮにする。次に、ユーザは、グループ化を希望するフェーダ１６に設けられた選択スイッチ兼表示器２０ａを押下操作して、グループ化すべきフェーダ１６を選択する。例えば、
チャンネルＡ−トラック７
チャンネルＢ−トラック８
チャンネルＣ−トラック９
チャンネルＤ−トラック１０
と割り当てられており、トラック７〜トラック１０の４つのフェーダ１６をグループ化する場合、ユーザはトラック７のフェーダ１６の選択スイッチ兼表示器２０ａ、トラック８のフェーダ１６の選択スイッチ兼表示器２０ａ、トラック９のフェーダ１６の選択スイッチ兼表示器２０ａ、及びトラック１０のフェーダ１６の選択スイッチ兼表示器２０ａを順次押下操作する。グループ化ＯＮ／ＯＦＦスイッチ２０ｂの操作状態、及び各フェーダ１６の選択スイッチ兼表示器２０ａの操作状態は検出回路２２で検出されてＣＰＵ３２に供給される。ＣＰＵ３２は、検出回路２２からの検出信号を用いて、トラック７〜トラック１０の４つのフェーダ１６をグループ化し、グループ化情報をＲＡＭ３０に記憶する。また、ＣＰＵ３２は、グループ化とともに、同一グループ内において最も左側に位置するトラック、すなわち最も番号の小さいトラックに対応するフェーダ１６をマスタフェーダに設定し、同一グループ内の他のフェーダをスレーブフェーダに設定する。グループ化情報には、どのフェーダがマスタであり、どのフェーダがスレーブであるかを識別する情報も含まれる。上記の場合、グループ化されたトラック７〜トラック１０の４つのフェーダ１６の内、最も左側に位置する、つまり最も番号の小さいトラック７に対応するフェーダ１６がマスタフェーダに設定され、残りのトラック８〜トラック１０に対応する３つのフェーダ１６はスレーブフェーダに設定される。
【００２４】
ＣＰＵ３２は、グループ化されたトラック７〜トラック１０のうち、マスタフェーダがユーザにより操作された場合、同一グループ内に属する全てのフェーダ１６の比率を維持してそれぞれのトラックの音声信号の音量レベルを増減させるべくＤＳＰ１４に指令する。また、ＣＰＵ３２は、マスタフェーダが操作された場合、同一グループ内に属する全てのフェーダの選択スイッチ兼表示器２０ａを点灯させる。上記の場合、ユーザがトラック７に対応するフェーダ１６を操作すると、同一グループ内に属するトラック８〜トラック１０の音声信号の音量レベルもトラック７のフェーダとの比率を維持すべく増減される。なお、トラック８〜トラック１０のフェーダ１６は必ずしも物理的に移動する必要はない。これと共に、トラック７〜トラック１０のフェーダ１６に対応する選択スイッチ兼表示器２０ａの全てが点灯する。一方、グループ化されたトラック７〜トラック１０のうち、スレーブフェーダがユーザにより操作された場合、ＣＰＵ３２はこの操作を無効とする。すなわち、グループ化されているにもかかわらず、グループ内の全てのトラックの音量レベルはそのまま維持される。この際、ＣＰＵ３２は、同一グループ内のマスタフェーダの選択スイッチ兼表示器２０ａを点灯あるいは点滅させる。上記の場合、ユーザがトラック１０に対応するフェーダ１０を操作しても、操作したフェーダ１６のトラック１０を含むトラック７〜トラック１０の全てのトラックの音量レベルは変化せずそのまま維持される。つまり、トラック１０のフェーダ１６の操作が無効化される。また、トラック７に対応するフェーダ１６の選択スイッチ兼表示器２０ａのみ点灯あるいは点滅し、トラック８〜トラック１０のフェーダ１６の選択スイッチ兼表示器２０ａは消灯したままである。
【００２５】
表示部２４は、マルチトラックレコーダの操作面の略中央上部に設けられる。表示部２４は、液晶ディスプレイや有機ＥＬディスプレイ等で構成される。表示部２４には、各トラック毎に、そのトラックに割り当てられた音声信号のレベル（フェーダ１６の操作位置に応じたレベル）がレベルメータ画像として表示される。また、このレベルメータ画像の所定位置にアサイン情報が重畳表示される。表示器２４には、グループ化されたトラックの情報を表示してもよい。
【００２６】
図４〜図６に、フェーダ１６の操作状態に応じた選択スイッチ兼表示器２０ａの表示状態を示す。
【００２７】
図４は、グループ化する際の状態を示す。トラック７〜トラック１０に対応するフェーダ１６をそれぞれフェーダ１６−７，フェーダ１６−８，フェーダ１６−９，フェーダ１６−１０とする。また、フェーダ１６−７〜１６−１０にそれぞれ対応する選択スイッチ兼表示器２０ａをそれぞれ選択スイッチ兼表示器２０ａ−７，選択スイッチ兼表示器２０ａ−８，選択スイッチ兼表示器２０ａ−９，選択スイッチ兼表示器２０ａ−１０とする。
ユーザが、フェーダ１６−７〜１６−１０をグループ化する場合、まず、フェーダ１６−７〜１６−１０をそれぞれ操作して、各トラック７〜トラック１０のチャンネルの音声信号の音量レベルを所望のレベルに調整する。そして、音量レベルのバランスを取った後に、グループ化ＯＮ／ＯＦＦスイッチ２０ｂを押下操作してグループ化機能をＯＮするとともに、これに続いて、フェーダ１６−７〜１６−１０にそれぞれ対応する選択スイッチ兼表示器２０ａ−７〜２０ａ−１０を順次押下操作して選択する。以上の操作で、フェーダ１６−７〜フェーダ１６−１０がグループ化され、グループ化情報としてＲＡＭ３０に記憶される。なお、フェーダ１６−７〜１６−１０がグループ化された後で、いずれかのフェーダ１６をグループから解除する場合、ユーザはグループから解除すべきフェーダ１６の選択スイッチ兼表示器２０ａを再度押下操作する。例えば、フェーダ１６−１０をグループから解除する場合、選択スイッチ兼表示器２０ａ−１０を再度押下操作する。ＣＰＵ３２は、選択スイッチ兼表示器２０ａ−１０の操作状態に応じ、フェーダ１６−１０をグループから解除したグループ情報を作成してＲＡＭ３０のグループ情報を書き換える。ユーザがマスタフェーダであるフェーダ１６−７をグループから解除した場合、ＣＰＵ３２は、同一グループに属する残りのフェーダ１６−７〜１６−１０のうち、最も左側、つまり最も番号の小さいトラックに対応するフェーダ１６−８をフェーダ１６−７に代わって新たなマスタフェーダとして自動設定する。全てのフェーダ１６−７〜１６−１０のグループ化を解除するには、全ての選択スイッチ兼表示器２０ａ−７〜２０ａ−１０を再度押下操作する。グループＯＮ／ＯＦＦスイッチ２０ｂを押下操作してグループ化機能をＯＦＦにしてもよい。
【００２８】
図５は、グループ化されたフェーダ１６−７〜１６−１０のうち、マスタフェーダに自動設定されたフェーダ１６−７をユーザが操作した状態を示す。図中矢印で示すように、ユーザがフェーダ１６−７を操作してその音量レベルを増減すると、同一グループ内の他の全てのスレーブフェーダであるフェーダ１６−８〜１６−１０が、マスタフェーダであるフェーダ１６−７との相対的なレベル比率をそのまま維持するように連動して増減する。また、この場合、フェーダ１６−７〜フェーダ１６−１０に対応する選択スイッチ兼表示器２０ａ−７〜２０ａ−１０が全て点灯する。選択スイッチ兼表示器２０ａ−７〜２０ａ−１０が全て点灯することで、ユーザは、フェーダ１６−７〜１６−１０がグループ化されており、これらが同一グループ内に属することを容易に確認することができる。ユーザがマスタフェーダであるフェーダ１６−７の操作を停止すると、これに伴って選択スイッチ兼表示器２０ａ−７〜２０ａ−１０も消灯する。マスタフェーダを操作する場合にのみ同一グループ内の全てのフェーダの選択スイッチ兼表示器２０ａ−７〜２０ａ−１０を点灯することで、ユーザはグループ化された全てのフェーダが確実に連動してレベルのバランスを維持しつつ調整されていることを実感できる。なお、手動フェーダの場合、スレーブフェーダ１６−８〜スレーブフェーダ１６−１０は物理的に連動して動くことはないが、所謂ムービングフェーダの場合、物理的に連動して動いてもよい。
【００２９】
図６は、グループ化されたフェーダ１６−７〜１６−１０のうち、スレーブフェーダに自動設定されたフェーダ１６−８〜１６−１０のいずれか、例えばフェーダ１６−１０をユーザが操作した状態を示す。図中矢印で示すように、ユーザがフェーダ１６−１０を操作しても、フェーダ１６−１０のトラック１０に割り当てられたチャンネルの音声信号のレベルは変化しない。また、同一グループに属する他のフェーダ１６−７〜１６−９もフェーダ１６−１０の操作に連動することなく、それぞれに割り当てられたチャンネルの音声信号のレベルも変化しない。すなわち、フェーダ１６−１０の操作は無効化される。また、この場合、マスタフェーダであるフェーダ１６−７に対応する選択スイッチ兼表示器２０ａ−７のみが点灯あるいは点滅する。選択スイッチ兼表示器２０ａ−８〜２０ａ−１０は消灯したままである。フェーダ１６−８，あるいはフェーダ１６−９を操作した場合も同様であり、その操作が無効化されるとともに、選択スイッチ兼表示器２０ａ−７のみが点灯あるいは点滅し、選択スイッチ兼表示器２０ａ−８〜２０ａ−１０は消灯したままである。ユーザは、選択スイッチ兼表示器２０ａ−７のみが点灯あるいは点滅し、選択スイッチ兼表示器２０ａ−８〜２０ａ−１０が消灯していることで、フェーダ２０ａ−１０の操作が無効化されたこと、及び他のフェーダが連動して動くこともないことを知ることができ、かつ、どのフェーダがマスタフェーダに設定されており、どのフェーダを操作すればよいかを容易に知ることができる。
【００３０】
以上、本発明の実施形態について説明したが、本発明はこれに限定されるものではなく、種々の変形が可能である。
【００３１】
例えば、本実施形態では、各フェーダ１６毎に選択スイッチ兼表示器２０ａを設けているが、選択スイッチと表示器とを別個に設けてもよい。表示器は、ＬＥＤ等で構成できる。
【００３２】
また、本実施形態では、選択スイッチ兼表示器２０ａ及びグループ化ＯＮ／ＯＦＦスイッチ２０ｂで複数のフェーダをグループ化しており、これらとＣＰＵ３２とでグループ設定手段を構成しているが、グループを設定する手段は任意であり、複数のフェーダから任意のフェーダを選択する機能、及びこれらのグループ化を決定する機能を有していればよい。
【００３３】
また、本実施形態では、グループ化された複数のフェーダ１６のうち、最も左側、つまり番号の最も小さいトラックに対応するフェーダ１６をマスタフェーダ、同一グループ内の他のフェーダ１６をスレーブフェーダに自動設定しているが、最も右側、つまり番号の最も大きいトラックに対応するフェーダ１６をマスタフェーダに自動設定してもよい。また、グループ化の際に最初に選択したフェーダ１６をマスタフェーダに自動設定してもよい。マスタフェーダ及びスレーブフェーダを自動設定するのではなく、ユーザが任意にマスタフェーダを手動設定する構成とすることも可能である。但し、ユーザが手動でマスタフェーダを設定するのは煩雑であり、操作性が低下することから、マスタフェーダはマルチトラックレコーダ側で自動設定するのが望ましい。なお、グループ内のどのフェーダをマスタフェーダに自動設定するかのルールをユーザが決定して登録しておくことも可能である。例えば、ジョグダイヤルや十字キー等の操作子２０を操作して、マスタフェーダに自動設定されるルールを複数のルールの中から選択し決定しておく。ＣＰＵ３２は、ユーザが選択したルールに従ってグループ内のフェーダから１つのフェーダをマスタフェーダに自動設定してＲＡＭ３０に記憶する。
【００３４】
また、本実施形態では、スレーブフェーダが操作された場合に、マスタフェーダに対応する表示器のみを点灯あるいは点滅しているが、マスタフェーダが操作された場合に同一グループ内の全てのフェーダの表示器を点灯することとの対比上、スレーブフェーダが操作された場合にはマスタフェーダに対応する表示器を所定時間間隔で点滅する方が望ましいといえよう。ユーザがマスタフェーダに対応する表示器の点灯を見て、マスタフェーダが連動して操作されていると誤認しないようにするためである。もちろん、スレーブフェーダが操作された場合に、マスタフェーダに対応する表示器を異なる色で点灯することも可能であろう。
【００３５】
さらに、ユーザが複数回連続してスレーブフェーダを操作した場合、ＣＰＵ３２はグループ内の特定のフェーダをユーザが操作する傾向にあるものとみなし、ユーザが複数回連続して操作したスレーブフェーダを新たなマスタフェーダとして自動設定することも可能である。例えば、図６の場合において、ユーザが２回連続してフェーダ１６−１０を操作した場合、マスタフェーダをフェーダ１６−７からフェーダ１６−１０に変更する等である。これにより、ユーザの操作性が一層向上する。
【００３６】
なお、本実施形態では、マルチトラックレコーダを例に説明したが、本発明はフェーダを備える電子機器、例えばミキサー等にも適用可能である。
【符号の説明】
【００３７】
１０  音声信号入力回路、１２  音声信号出力回路、１４  ＤＳＰ、１６  フェーダ、１８  検出回路、２０  操作子、２２  検出回路、２４  表示部、２６  表示回路、２８  フラッシュＲＯＭ、３０  ＲＡＭ、３２  ＣＰＵ、３４  レコーダ。
【図１】
0005887941.tif 000002
【図２】
0005887941.tif 000003
【図３】
0005887941.tif 000004
【図４】
0005887941.tif 000005
【図５】
0005887941.tif 000006
【図６】
0005887941.tif 000007